(57)【要約】【課題】生長を刺激して、厚さを増加し、生長期を短縮して、必要とする海藻を大量に生産繁殖できる効果が得られる電離放射線照射の海藻量産装置および海藻量産方法を提供する。【解決手段】収納区とフィルターがある収納ユニットと、収納区に設けられた立体枠と、立体枠上に、囲むように設けられる付着ユニットと、収納ユニットの一側に設置された放射線照射ユニットと、が含有され、生産繁殖する時、収納ユニットの収納区に培養液を注入し、付着ユニットに複数の藻類芽胞を着床させ、また、フィルターを利用して、培養液が、収納区において、流水式により培養され、また、放射線照射ユニットにより、必要とする供与量で照射し、各藻類芽胞が藻類芽生えに生長した後、付着ユニットを取り出して、戸外流水池に入れ込み、再び、流水式により培養し、各藻類が適当な長さまで生長してから、付着ユニットから採集する。【選択図】図２
2008161089.tif 000002
【特許請求の範囲】
【請求項１】
少なくとも収納区があり、該収納区にフィルターがある収納ユニットと、
上記収納ユニットの収納区に設置される立体枠と、
上記立体枠を囲むように設けられる付着ユニットと、
上記収納ユニットの一側に設置される放射線照射ユニットと、
が含有される、ことを特徴とする電離放射線照射の海藻量産装置。
【請求項２】
該収納ユニットの収納区には、培養液が注入されることを特徴とする請求項１に記載の電離放射線照射の海藻量産装置。
【請求項３】
該培養液は海水であることを特徴とする請求項２に記載の電離放射線照射の海藻量産装置。
【請求項４】
該立体枠は、少なくとも、複数の横方向棒と縦方向棒とから構成されることを特徴とする請求項１に記載の電離放射線照射の海藻量産装置。
【請求項５】
該付着ユニット上には複数の藻類芽胞が設置されることを特徴とする請求項１に記載の電離放射線照射の海藻量産装置。
【請求項６】
該付着ユニットは綿ロープであることを特徴とする請求項１に記載の電離放射線照射の海藻量産装置。
【請求項７】
該放射線照射ユニットは、電離放射線照射源であることを特徴とする請求項１に記載の電離放射線照射の海藻量産装置。
【請求項８】
少なくとも、
立体枠を用意して、該立体枠上に囲むように付着ユニットが設けられるステップ１と、
上記付着ユニットが設けられた立体枠を、培養液が注入された収納ユニットに入れ込むステップ２と、
付着ユニット上に複数の藻類芽胞を着床させ、また、収納ユニットにフィルターを設置して、培養液が、収納ユニットにおいて、流水式により培養されるステップ３と、
放射線照射ユニットにより、収納ユニットの一側から、必要とする供与量で、該複数の藻類芽胞に対して照射するステップ４と、
付着ユニット上の複数の藻類芽胞が、藻類芽生えに生長した後、付着ユニットを取り出して、戸外流水池に入れ込み、再び、流水式により培養するステップ５と、
各藻類が適当な長さまで生長してから、付着ユニットから採集するステップ６と、
が含有される、ことを特徴とする海藻量産方法。
【請求項９】
該立体枠は、少なくとも、複数の横方向棒と縦方向棒から構成されることを特徴とする請求項８に記載の海藻量産方法。
【請求項１０】
該付着ユニットは綿ロープであることを特徴とする請求項８に記載の海藻量産方法。
【請求項１１】
該培養液は海水であることを特徴とする請求項８に記載の海藻量産方法。
【発明の詳細な説明】
【技術分野】
【０００１】
本発明は、電離放射線照射の海藻量産装置および海藻量産方法に関し、特に、閾下増進効果（ｈｏｒｍｅｓｉｓ）を利用する方法により、生長を刺激して、厚さを増加し、生長期を短縮して、海藻を大量に生産繁殖できるものに関する。
【背景技術】
【０００２】
一般の従来の海藻生産方法は、平面枠７上に、囲むように綿ロープ７１が設けられ（図９のように）、また、該綿ロープ７１上に複数の藻類芽胞７２を着床させ（図１０のように）、その後、該平面枠７を海水８１が含有される培養皿８に設置し（図１１のように）、予定時間を経過すると、複数の藻類芽胞７２が藻体７３に成長してから（図１２のように）採集して、そして、色々に適用する。
【０００３】
上記の従来の海藻生産方法は、予定時間で、複数の藻類芽胞７２を藻体７３に生長させることができるが、該平面枠７は体積が比較的に小さい平面式の枠であるため、該平面枠７の一面に位置する綿ロープ７１だけに藻類芽胞７２を着床させ（もう一面が培養皿８に接触しているため）、そのため、複数の藻類芽胞７２が、平面枠７の一面にある綿ロープ７１だけで藻体７３に成長し、必要とする海藻を大量に生産繁殖できなく、従来の海藻生産方法は、実用的とは言えない。
【発明の開示】
【発明が解決しようとする課題】
【０００４】
本発明の主な目的は、閾下増進効果（ｈｏｒｍｅｓｉｓ）を利用する方法により、生長を刺激して厚さを増加し、生長期を短縮して必要とする海藻を大量に生産繁殖する効果が得られる電離放射線照射の海藻量産装置および海藻量産方法を提供する。
【課題を解決するための手段】
【０００５】
本発明は、上記目的を達成するため、収納区とフィルターがある収納ユニットと、収納区に設けられる立体枠と、立体枠上に囲むように設けられる付着ユニットと、収納ユニットの一側に設置される放射線照射ユニットと、が含有され、生産繁殖する時、収納ユニットの収納区に培養液を注入し、付着ユニットに複数の藻類芽胞を着床させ、また、フィルターを利用して、培養液が、収納区において、流水式により培養され、また、放射線照射ユニットにより、必要とする供与量で照射し、各藻類芽胞が藻類芽生えに生長した後、付着ユニットを取り出して、戸外流水池に入れ込み、再び、流水式により培養し、各藻類が適当な長さまで生長してから、付着ユニットから採集する電離放射線照射の海藻量産装置および海藻量産方法である。
【発明を実施するための最良の形態】
【０００６】
図１と２は、それぞれ、本発明の立体外観概念図と本発明の立体分解概念図である。図のように、本発明は、電離放射線照射の海藻量産装置であり、少なくとも、収納ユニット１と立体枠２、付着ユニット３及び放射線照射ユニット３２から構成され、閾下増進効果（ｈｏｒｍｅｓｉｓ）を利用する方法により、生長を刺激して厚さを増加し、生長期を短縮して必要とする海藻を大量に生産繁殖することが得られる。
【０００７】
上記収納ユニット１は、少なくとも、収納区１１があり、該収納区１１はフィルター１２がある。
【０００８】
該立体枠２は上記の収納ユニット１の収納区１１に設置され、少なくとも、複数の横方向棒２１と縦方向棒２２から構成される。
【０００９】
該付着ユニット３は綿ロープであり、囲むように上記の立体枠２に設けられる。
【００１０】
該放射線照射ユニット３２は電離放射線源であり、上記の収納ユニット１の一側に設置される。上記の構造により新規の海藻量産装置が構成される。
【００１１】
図３と４、５、６、７及び８は、それぞれ、本発明のステップ１の概念図と本発明のステップ２の概念図、本発明のステップ３の概念図、本発明のステップ４の概念図、本発明のステップ５の概念図及び本発明のステップ６の概念図である。図のように、本発明は、少なくとも、次のステップがある。
【００１２】
長さが４０センチメートル、幅が３０センチメートル、高さが３０センチメートル、鋼材直径が０．７センチメートルのステンレス枠である立体枠２を用意して、該立体枠２上に、囲むように、直径が１センチメートル、全長が３３メートルの綿ロープである付着ユニット３が設けられるステップ１（図３のように）である。
【００１３】
上記の囲むように付着ユニット３が設けられた立体枠２を、１２０リットルのポリ塩化ビニル（ＰＶＣ）製の長方形桶である収納ユニット１の収納区１１に入れ込んで、１００リットルの海水である培養液４を収納区１１に注入し、培養液４の液面が立体枠２上の付着ユニット３より高くなるようにするステップ２（図４のように）である。
【００１４】
付着ユニット３上に複数の藻類芽胞５を着床させ、また、収納ユニット１の収納区１１にフィルター１２を設置し、陽光が照射できる箇所に放置して（温室内）培養し、約１〜２日後、複数の藻類芽胞５の遊動細胞が、完全に付着ユニット３上に付着し、また、１５日後、肉眼が見える藻体長さが０．５〜１．０ｍｍである藻類芽生え５１に生長すると、流速が５０〜７５ｍｌ．ｓｅｃ−１のフィルター１２で海水を濾過して、流水式により培養するステップ３（図５のように）である。
【００１５】
電離放射線射源である放射線照射ユニット３２により、収納ユニット１の一側から照射時間に基づいて、制御された必要とする供与量で、該複数の藻類芽胞５に対して照射するステップ４（図６のように）である。また、本発明において、次の方式によって照射することもでき、即ち、照射サンプルを水密箱に入れ込んで蓋を覆い、そして、レール昇降台により水池中の照射座に沈下し、また、照射源が水池の底部にある照射座の傍に位置し、水密箱において、供与量分布テストにより測定した必要とする供与量が５グレイ／分（Ｇｙ／ｍｉｎ）で、照射実験に必要とする供与量が５、１０、１５ Ｇｙに設定すれば、ストップウォッチで照射時間を、それぞれ１、２、３分測定し、時間が経つと、水密箱を照射源から離間させるか、水面から取り出す。
【００１６】
付着ユニット３上の複数の藻類芽胞が、４０日経過で藻類芽生え５１に生長してから、約３．０〜５．０ｍｍの藻類芽生え５１が付着した付着ユニット３を取り出し、また、該付着ユニット３を１００センチメートル毎に切断し、また、直径が０．６センチメートルのロープ３１で連結してから、該付着ユニット３を長さが４．４ｍ、幅が２．２ｍ、高さが１．３ｍ、水深が０．９ｍ、海水の容積が約８．７ｍ３である戸外流水池６に入れ込んで、流速３００がｍｌ．ｓｅｃ−１である新鮮な海水で、再び、流水式により培養するステップ５（図７のように）である。
【００１７】
各藻類が適当な長さ（約１０センチメートル以上）である藻体５２に生長した後、直接に、人工により、付着ユニット３から藻類５２を採集し、また、濾過した海水で洗浄してから、摂氏７０度のオーブンに入れ込んで乾燥し、そして、重量を測って生物量を算出するステップ６（図８のように）である。
【００１８】
以上の説明のように、本発明に係わる電離放射線照射の海藻量産装置によれば、有効的に、従来の諸欠点を改善でき、閾下増進効果（ｈｏｒｍｅｓｉｓ）を利用する方法により、生長を刺激して厚さを増加し、生長期を短縮して、必要とする海藻を大量に生産繁殖できる効果が得られるため、本発明は、より進歩的且つより実用的であり、法に従って特許請求を出願する。
【００１９】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００２０】
【図１】本発明の立体外観概念図
【図２】本発明の立体分解概念図
【図３】本発明のステップ１の概念図
【図４】本発明のステップ２の概念図
【図５】本発明のステップ３の概念図
【図６】本発明のステップ４の概念図
【図７】本発明のステップ５の概念図
【図８】本発明のステップ６の概念図
【図９】従来の藻類の製作方式の概念図
【図１０】従来の藻類の製作方式の概念図
【図１１】従来の藻類の製作方式の概念図
【図１２】従来の藻類の製作方式の概念図
【符号の説明】
【００２１】
（本発明）
１        収納ユニット
１１      収納区
１２      フィルター
２        立体枠
２１      横方向棒
２２      縦方向棒
３        付着ユニット
３１      ロープ
３２      放射線照射ユニット
４        培養液
５        藻類芽胞
５１      藻類芽生え
５２      藻体
６        流水池
（従来）
７        平面枠
７１      綿ロープ
７２      藻類芽胞
７３      藻体
８        培養皿
８１      海水
【図１】
2008161089.tif 000003
【図２】
2008161089.tif 000004
【図３】
2008161089.tif 000005
【図４】
2008161089.tif 000006
【図５】
2008161089.tif 000007
【図６】
2008161089.tif 000008
【図７】
2008161089.tif 000009
【図８】
2008161089.tif 000010
【図９】
2008161089.tif 000011
【図１０】
2008161089.tif 000012
【図１１】
2008161089.tif 000013
【図１２】
2008161089.tif 000014